(57)【特許請求の範囲】
【請求項１】
液体の吸引吐出に用いられるノズルを洗浄するノズル洗浄ユニットであって、
前記ノズルのうち少なくとも洗浄対象部分が収容される洗浄槽と、
前記洗浄槽内において、前記ノズルの外側面に洗浄液を噴射する洗浄液噴射手段と、
前記ノズルの外側面に付着した洗浄液を前記洗浄槽内に吹き飛ばすべくエアを噴射する乾燥用噴射手段と、
前記ノズルを前記洗浄液噴射手段および前記乾燥用噴射手段に対して相対的に昇降させる移動手段と、
少なくとも、前記洗浄液噴射手段、乾燥用噴射手段、および、移動手段の動作を制御する制御手段と、
前記ノズルの内部に洗浄液を送る送液手段と、
前記ノズルの内部にエアを送る送風手段と、
を備え、
前記制御手段は、前記ノズルを前記洗浄液噴射手段に対して少なくとも下降させつつ前記洗浄液噴射手段による洗浄液の噴射と前記送液手段によるノズル内部への洗浄液送液とを並行して実行させる洗浄工程と、前記洗浄工程の後に前記ノズルを前記乾燥用噴射手段に対して少なくとも上昇させつつ前記乾燥用噴射手段によるエアの噴射と前記送風手段によるノズル内部へのエア送風とを並行して実行させる乾燥工程と、をセットにしたセット動作を行わせる、
ことを特徴とするノズル洗浄ユニット。
【請求項２】
請求項１に記載のノズル洗浄ユニットであって、
前記乾燥用噴射手段は、略円筒状下向きの気流を発生させるエア噴射器を備え、
前記移動手段は、前記円筒状下向きの気流の略中心軸線に沿って前記ノズルを昇降させる、
ことを特徴とするノズル洗浄ユニット。
【請求項３】
請求項２に記載のノズル洗浄ユニットであって、さらに、
前記乾燥用噴射手段によるエア噴射時に、前記洗浄槽内の過剰エアを吸引して外部に排出する排気用噴射手段も備える、ことを特徴とするノズル洗浄ユニット。
【請求項４】
請求項１から３のいずれか１項に記載のノズル洗浄ユニットであって、
前記制御手段は、少なくとも、洗浄液として洗剤液を用いるセット動作と、洗浄液としてすすぎ液を用いるセット動作と、を行うことを特徴とするノズル洗浄ユニット。
【発明の詳細な説明】
【技術分野】
【０００１】
本発明は、液体の吸引吐出に用いられるノズルを洗浄するノズル洗浄ユニットに関する。
【背景技術】
【０００２】
従来から、液体試薬や液体検体（例えば血液など）などの分注対象液体をノズルによって吸引した後、子検体容器に小分け分注する分注装置が広く知られている。こうした分注装置の中には、使用のたびにノズルを廃棄交換するディスポーザブル式のものと、一つのノズルを繰り返し使用するノンディスポーザブル式のものとがある。ノンディスポーザブル式の分注装置においては、ノズルは使用のたびに洗浄されており、当該分注装置には、通常、ノズル洗浄のためのノズル洗浄ユニットが搭載される。
【０００３】
このノズル洗浄ユニットにおいて、ノズルの内側面は、当該ノズルの内部に洗浄液を流すことで洗浄されることが多い。また、ノズルの外側面は、洗浄液を貯留した洗浄槽に当該ノズルを浸したり（例えば下記特許文献１，２など）、当該ノズルの外側面に洗浄液を噴霧または噴射したり（例えば特許文献３，４など）、あるいは、浸漬と噴霧の両方を組み合わせたり（特許文献５など）することで洗浄される。また、適宜、洗浄されたノズルにエアを送り、当該ノズルを乾燥させる機能を備えたノズル洗浄ユニットも知られている（例えば特許文献４，５など）。
【先行技術文献】
【特許文献】
【０００４】
【特許文献１】特開２００５−２８３２４６号公報
【特許文献２】実開昭６２−１７９０８４号公報
【特許文献３】特開平３−２５１７３２号公報
【特許文献４】実用新案登録第３１２５３６４号公報
【特許文献５】特開昭６２−２４２８５８号公報
【発明の概要】
【発明が解決しようとする課題】
【０００５】
しかしながら、こうした従来のノズル洗浄技術は、いくつかの問題があり、効率的とは言い難かった。例えば、洗浄槽に貯留された洗浄液にノズルを浸漬させる方式の場合、多量の洗浄液が必要になるという問題がある。また、洗浄（浸漬）に先立ってノズルに残存している残液を洗浄槽とは別の場所に排出するための処理が必要であり、結果として、洗浄のために必要な時間が長くなりがち、という問題もあった。洗浄液を噴霧または噴射する方式の場合は、こうした問題が多少は低減される。しかし、特許文献３，４記載の技術は、洗浄液の噴霧または噴射の際、ノズルを静止させており、細長いノズル全体が効率的に洗浄されているとは言い難かった。特許文献５記載の技術は、浸漬と噴霧の両方を組み合わせている関係上、上述した浸漬方式の問題（多量の洗浄液が必要、処理に時間がかかる）と同様の問題があった。また、従来、複数種類の洗浄液（例えば洗剤液と当該洗剤液を洗い流すためのすすぎ液など）を用いる場合、第一の洗浄液をノズルに供給した後、そのまま、第二の洗浄液（例えば水など）をノズルに供給している。この場合、ノズルに残存した第一の洗浄液の影響により、第二の洗浄液での洗浄効果（あるいは、すすぎ効果）が低減するという問題もあった。つまり、従来、より効率的にノズルを洗浄でき得るノズル洗浄ユニットはなかった。
【０００６】
そこで、本発明では、より効率的にノズル洗浄でき得るノズル洗浄ユニットを提供することを目的とする。
【課題を解決するための手段】
【０００７】
本発明のノズル洗浄ユニットは、液体の吸引吐出に用いられるノズルを洗浄するノズル洗浄ユニットであって、前記ノズルのうち少なくとも洗浄対象部分が収容される洗浄槽と、前記洗浄槽内において、前記ノズルの外側面に洗浄液を噴射する洗浄液噴射手段と、前記ノズルの外側面に付着した洗浄液を前記洗浄槽内に吹き飛ばすべくエアを噴射する乾燥用噴射手段と、前記ノズルを前記洗浄液噴射手段および前記乾燥用噴射手段に対して相対的に昇降させる移動手段と、少なくとも、前記洗浄液噴射手段、乾燥用噴射手段、および、移動手段の動作を制御する制御手段と、前記ノズルの内部に洗浄液を送る送液手段と、前記ノズルの内部にエアを送る送風手段と、を備え、前記制御手段は、前記ノズルを前記洗浄液噴射手段に対して少なくとも下降させつつ前記洗浄液噴射手段による洗浄液の噴射と前記送液手段によるノズル内部への洗浄液送液とを並行して実行させる洗浄工程と、前記洗浄工程の後に前記ノズルを前記乾燥用噴射手段に対して少なくとも上昇させつつ前記乾燥用噴射手段によるエアの噴射と前記送風手段によるノズル内部へのエア送風とを並行して実行させる乾燥工程と、をセットにしたセット動作を行わせる、ことを特徴とする。
【０００８】
好適な態様では、前記乾燥用噴射手段は、略円筒状下向きの気流を発生させるエア噴射器を備え、前記移動手段は、前記円筒状下向きの気流の略中心軸線に沿って前記ノズルを昇降させる。この場合、さらに、前記乾燥用噴射手段によるエア噴射時に、前記洗浄槽内の過剰エアを吸引して外部に排出する排気用噴射手段も備える、ことが望ましい。
【００１０】
他の好適な態様では、前記制御手段は、少なくとも、洗浄液として洗剤液を用いるセット動作と、洗浄液としてすすぎ液を用いるセット動作と、を行う。
【発明の効果】
【００１１】
本発明によれば、洗浄液を噴射させる洗浄工程と、エアを噴射させる乾燥工程と、をセットにしたセット動作を行わせている。このセット動作においては、ノズルの昇降と連動して洗浄液の噴射とエアの噴射とが行われるため、ノズル全体を短時間で満遍なく洗浄、乾燥させることができる。
【図面の簡単な説明】
【００１２】
【図１】本発明の実施形態であるノズル洗浄ユニットが搭載された分注装置の斜視図である。
【図２】ノズル洗浄ユニットの概略構成図である。
【図３】乾燥用噴射器の上面図および断面図である。
【図４】洗浄処理の流れを示すフローチャートである。
【図５】洗浄処理の流れを示すフローチャートである。
【図６】洗浄処理の様子を示すイメージ図である。
【発明を実施するための形態】
【００１３】
以下、本発明の実施形態について図面を参照して説明する。図１は、本発明の実施形態であるノズル洗浄ユニット２０が搭載された分注装置１０の斜視図である。また、図２は、この分注装置１０に搭載されているノズル洗浄ユニット２０の概略構成図である。
【００１４】
この分注装置１０は、親検体容器１００に収容された液体試薬や液体検体（例えば血液など）などの分注対象液体をノズル１２で吸引し、子検体容器１１０に小分け分注（吐出）する装置である。液体を吸引吐出するためのノズル１２は、金属製で、使用のたびに洗浄されて繰り返し使用される、いわゆる、ノンディスポーザブルのノズル１２である。このノンディスポーザブルのノズル１２を洗浄するために、本実施形態の分注装置１０には、ノズル洗浄ユニット２０が搭載されている。以下、この分注装置１０について詳説する。
【００１５】
分注装置１０の基本的な構成、すなわち、分注対象液体を吸引吐出するための構成は、従来から広く知られているため、ここでは、簡単に説明する。金属製のノズル１２は、ノズルヘッド１４により保持されている。このノズルヘッド１４は、モータなどを備えた移動機構１６により水平Ｘ方向、および、垂直Ｚ方向に移動自在となっている。この移動機構１６は、後述する洗浄ユニットの移動機構１６としても用いられる。ノズル１２は、配管を介して分注ポンプ（図示せず）に接続されている。この分注ポンプの駆動に応じて、ノズル１２内の内圧が可変することで、液体の吸引吐出が実行されるようになっている。なお、ここで説明した構成は、あくまで、一例であり、ノンディスポーザブルのノズル１２を用いて液体を吸引吐出するのであれば、当然、他の構成、例えば、水平二方向（Ｘ方向およびＹ方向）に移動したり、複数のノズル１２を設けていたりしてもよい。
【００１６】
次に、このノズル１２を適宜、洗浄するノズル洗浄ユニット２０の構成を説明する。ノズル洗浄ユニット２０は、洗浄処理時にノズル１２を収容する洗浄槽２２、ノズル１２内部に洗浄液を流し込む内部洗浄機構、ノズル１２内部にエアを流し込む内部乾燥機構、ノズル１２外部に洗浄液を噴射する外部洗浄機構、ノズル１２外部にエアを噴射する外部乾燥機構、ノズル１２を洗浄槽２２に対して相対移動させる移動機構１６、および、これら各機構の動作を制御する制御部（図示せず）などを備えている。
【００１７】
洗浄槽２２は、洗浄時にノズル１２を収容し、洗浄液や廃液を受け止める容器である。この洗浄槽２２は、ノズル１２の移動経路上に設けられている。本実施形態では、液体の吸引位置（親検体容器１００の停止位置）、吐出位置（子検体容器１１０の停止位置）、洗浄槽２２がＸ方向に一列に並ぶような配置としている。この洗浄槽２２の上面は、専用の蓋体２２ａで覆われており、液体の飛散が防止されている。洗浄槽２２の底面には、廃液のための廃液孔２２ｂおよび排気のための排気孔２２ｃが形成されている。廃液孔２２ｂは、配管を介して廃液タンク２６に接続されている。また、排気孔２２ｃには、後述する排気用噴射器５２が接続されており、当該排気用噴射器５２を通じて、洗浄槽２２内の排気が図られる。なお、廃液の一部は、廃液孔２２ｂだけでなく、この排気用噴射器５２にも流れ込むが、この流れ込んだ廃液は、配管を介して廃液タンク２６に送られる。
【００１８】
内部洗浄機構は、洗浄処理時に、ノズル１２の内部に洗浄液を流し込む機構である。ここで、洗浄液とは、洗浄のために用いられる液体全般を意味しており、ノズル１２に付着した汚れを除去するための洗剤液（例えばアルカリ性洗剤液、酸性洗剤液、水など）のほか、ノズル１２内外表面に付着した菌やウィルスなどの殺菌や失活のための消毒液（次亜塩素酸ナトリウム、熱湯など）や、ノズル１２に付着した洗剤液を除去するためのすすぎ液（水など）なども含む。
【００１９】
本実施形態の内部洗浄機構は、ノズル１２の内部に三種類の洗浄液、すなわち、洗剤液、すすぎ液（水）、および、消毒液（次亜塩素酸ナトリウム、熱湯など）を択一的に送る。そのため、内部洗浄機構には、この三種類の洗浄液それぞれを貯留した洗浄液タンク３０ａ，３０ｂ，３０ｃが設けられている。各洗浄液タンク洗浄液タンク３０ａ，３０ｂ，３０ｃは、配管を介してシリンジポンプ３２に接続されている。シリンジポンプ３２は、配管を介してノズル１２や、内部乾燥機構の配管にも接続されている。これら配管上には複数の電磁弁３３が設けられており、シリンジポンプ３２の連通先を択一的に切り替えられるようになっている。
【００２０】
ノズル１２の内部に洗浄液を流し込む際には、電磁弁３３を駆動して、所望の洗浄液タンク３０ａ，３０ｂ，３０ｃとシリンジポンプ３２とを連通させた上で、シリンジポンプ３２で所望の洗浄液を吸引する。次いで、電磁弁３３を駆動して、シリンジポンプ３２とノズル１２とを連通させた後、シリンジポンプ３２を駆動して吸引した洗浄液をノズル１２に流し込めばよい。なお、このとき、洗浄液は流し続けてもよいし、ノズル１２の送液を停止し、ノズル１２内部に洗浄液を停滞させるようにしてもよい。洗浄液を流し続ける場合、ノズル１２内面は、常に、清潔な洗浄液に接触するため、高い洗浄効果が得られる。一方、ノズル１２内部に洗浄液を停滞させた場合には、洗浄液の消費量を効果的に減らすことができる。したがって、洗浄液を流し続けるか否かは、望まれる洗浄能力やランニングコストに応じて選択するようにすればよい。
【００２１】
内部乾燥機構は、ノズル１２の内部にエアを送り込み、乾燥させる機構である。この内部乾燥機構は、ノズル１２の内部にエアを送り込む送風ポンプ３６、送風ポンプ３６とノズル１２とを接続する配管、配管上に設けられた電磁弁３４、送風ポンプ３６から送り込まれたエアの速さを調整するスピードコントローラ３８などを備えている。ノズル１２内部を乾燥させる際には、電磁弁３４を駆動して、送風ポンプ３６とノズル１２とを連通させたうえで、当該送風ポンプ３６からエアをノズル１２に送り込む。なお、この送風ポンプ３６は、ノズル１２の内面に付着した液滴を吹き飛ばせる流量のエアを送り込める能力があるのであれば、その種類等は特に限定されない。よって、送風ポンプ３６として専用のポンプを設けてもよいし、液体の吸引吐出動作に用いられる分注ポンプや、洗浄液を送り込むためのシリンジポンプ３２を送風ポンプ３６として兼用してもよい。
【００２２】
外部洗浄機構は、ノズル１２の外側面に洗浄液を噴射して洗浄する機構である。この外部洗浄機構は、ノズル１２の外部に三種類の洗浄液、すなわち、アルカリ性洗剤液、酸性洗剤液、および、すすぎ液（水）を択一的に送れるようになっている。そのため、内部洗浄機構には、この三種類の洗浄液それぞれを貯留した洗浄液タンク４０ａ，４０ｂ，４０ｃが設けられている。なお、当然ながら、各洗浄液タンク４０ａ，４０ｂ，４０ｃは、外部洗浄機構専用に設けられてもよいし、内部洗浄機構に設けられた洗浄液タンク３０ａ，３０ｂ，３０ｃと兼用されてもよい。
【００２３】
各洗浄液タンク４０ａ，４０ｂ，４０ｃは、配管を介してシリンジポンプ４２に接続されている。シリンジポンプ４２は、配管を介して洗浄液噴射器４４にも接続されている。これら配管上には複数の電磁弁４６が設けられており、シリンジポンプ４２の連通先を択一的に切り替えられるようになっている。
【００２４】
洗浄液噴射器４４は、シリンジポンプ４２から供給された洗浄液を霧化して噴射するものある。本実施形態では、この洗浄液噴射器４４を、洗浄槽の上部の周縁近辺に二つ、１８０度対称位置に設けている。各洗浄液噴射器４４は、液体の噴射方向がやや斜め下方向、かつ、洗浄槽２２の中央方向になるような姿勢で取り付けられている。洗浄処理時、この洗浄液噴射液から噴霧された洗浄液によりノズル１２の外表面が洗浄される。なお、この洗浄液噴射器４４は、供給された洗浄液の液圧のみによって洗浄液を噴霧する一流体式のものであってもよいし、圧縮空気などの高速気流で供給された洗浄液を粉砕し微粒化する二流体式のものであってもよい。二流体式の洗浄液噴射器４４を用いる場合には、当該洗浄液噴射器４４に圧縮空気を送り込むエア・コンプレッサなどを設けておけばよい。また、本実施形態では、洗浄液噴射器４４を二つとしているが、その個数は適宜変更されてもよい。
【００２５】
外部乾燥機構は、ノズル１２の外側面に付着した洗浄液を吹き飛ばして、当該ノズル１２外側面を乾燥させるための機構である。この外部乾燥機構は、実際にノズル１２にエアを吹き付ける乾燥用噴射器５０や、洗浄槽２２からの排気を促す排気用噴射器５２、乾燥用噴射器５０および排気用噴射器５２に接続されたエアポンプ６４などを備えている。
【００２６】
乾燥用噴射器５０は、洗浄槽２２の上部略中央に設置されるエア噴射器である。この乾燥用噴射器５０について、図３を参照して説明する。図３は、本実施形態で用いる乾燥用噴射器５０の概略上面図およびＸ−Ｘ断面図である。本実施形態では、より効率的かつ効果的な乾燥を行うために、乾燥用噴射器５０として円筒状あるいは円錐状（以下「略円筒状」という）の気流を生じさせるエア噴射器、例えば、サンワ・エンタープライズ社から提供されている「サークル・ブロー」などを用いている。
【００２７】
かかる略円筒状の気流を生じさせる乾燥用噴射器５０の構成を簡単に説明すると次のとおりである。乾燥用噴射器５０は、略環状の環状本体５３を有しており、この環状本体５３の内側面には、当該環状本体５３を軸方向に二分割する薄い横溝５４が全周にわたって形成されている。換言すれば、環状本体５３は、横溝５４により、前部５６と後部５８とに区分される。このうち前部５６の内周面には、横溝５４と環状本体５３の底面とを滑らかに接続する凸円弧面５６ａが形成されている。また、後部５８の内周面には、凸円弧面５６ａに連続するような形状の凹円弧面５８ａが形成されている。
【００２８】
環状本体５３の外側面には、この横溝５４に連通する横孔６０が形成されており、当該横孔６０を通じて圧縮空気が横溝５４へと供給されるようになっている。横溝５４に供給された圧縮空気は、当該横溝５４の内側端部（環状本体５３の内周面）から吹き出す。この吹き出した空気流れは、コアンダ効果により、前部５６内周面に設けられた凸円弧面５６ａに沿った向きに変換される。そして、最終的に、当該環状本体５３の中心軸に平行な気流、あるいは、下流側に近づくほど中心軸に近づくように僅かに傾いた気流が、全周にわたって形成され、結果として略円筒状の気流が形成されることになる。
【００２９】
また、この略円筒状気流に誘引されて、後部５８周辺には、強力なバキューム圧が発生する。このバキューム圧により、横溝５４より後方に位置する空気が吸引され、新たな空気流れが形成される。換言すれば、この乾燥用噴射器５０は、供給された圧縮空気を吐き出すだけでなく、当該乾燥用噴射器５０の後方に位置する空気も吸引し、吐き出すエア吸引器としても機能する。なお、ここで例示した乾燥用噴射器５０の構成は一例であり、略円筒状の気流を発生できるのであれば、他の構成であってもよい。
【００３０】
本実施形態では、この乾燥用噴射器５０を、洗浄槽２２の上部中央であって、その中心軸がノズル１２の中心軸と平行になるように設置している。そして、ノズル１２を乾燥させる際には、当該乾燥用噴射器５０に圧縮空気を供給して略円筒状気流を噴射させつつ、ノズル１２を当該略円筒状気流の略中心軸線に沿って移動させる。円筒状気流の略中心軸上にノズル１２を位置させることで、ノズル１２の外周囲に、均一にエアを当てることができ、より効率的かつ効果的な乾燥が可能となる。
【００３１】
ここで、この乾燥用噴射器５０は、洗浄槽２２内にエア噴射する。洗浄槽２２は、洗浄液の飛散防止などのために蓋体２２ａで覆われており、排気されにくい構成となっている。かかる洗浄槽２２に多量のエアが噴射されると、当該洗浄槽２２内の気圧が急激に上昇するという問題がある。そこで、本実施形態では、洗浄槽２２内の底面に排気用噴射器５２を設けている。
【００３２】
排気用噴射器５２は、洗浄槽２２内のエアを吸引し、外部に噴射するエア吸引器である。本実施形態では、上述した乾燥用噴射器５０とほぼ同様の構成のエア噴射器を、排気用噴射器５２として用いている。すなわち、上述したとおり、略円筒状気流を生じさせる際、乾燥用噴射器５０（排気用噴射器５２）の後方には強力なバキューム圧が生じる。本実施形態では、このバキューム圧を利用して、洗浄槽２２内の過剰エアを吸引、排気している。なお、排気用噴射器５２の後部５８は、管体などを介して洗浄槽２２の内部と連通されている。この管体を通じて、洗浄槽内に残存している廃液が排気用噴射器５２に流れ込むことがある。この流れ込んだ廃液を廃液タンク２６に導くために、排気用噴射器５２の前部５６は、配管を介して廃液タンク２６に連通されている。
【００３３】
エアポンプ６４は、乾燥用噴射器５０および排気用噴射器５２に圧縮空気を送るためのポンプである。このエアポンプ６４は、配管を介して乾燥用噴射器５０および排気用噴射器５２に接続されており、当該配管上には電磁弁５１などが設けられている。
【００３４】
移動機構１６は、ノズル１２を洗浄槽２２に対して相対移動させる機構である。かかる移動機構１６は、公知の周知技術を用いて構成できるため、ここでの詳説は省略する。本実施形態では、分注処理のために設けられている移動機構１６、すなわち、ノズル１２を水平Ｘ方向および垂直Ｚ方向に移動させる移動機構１６を、当該洗浄ユニットの移動機構１６としても用いている。洗浄処理時、この移動機構１６は、ノズル１２を、洗浄槽２２の略中央真上位置（すなわち乾燥用噴射器５０の真上位置）に位置させた後、乾燥用噴射器５０の中心軸に沿ってノズル１２を昇降させる。そして、洗浄処理が全て終われば、再び、分注処理のために必要な移動処理を行う。
【００３５】
制御部は、上述した各種機構の動作を制御するものである。より具体的には、制御部は、分注処理が一回終わるごとに、ノズル１２を下降させつつ洗浄液噴射器４４からの洗浄液噴射とノズル１２内部への洗浄液送液とを実行させる洗浄工程と、ノズル１２を上昇させつつ乾燥用噴射器５０からのエア噴射とノズル１２内部へのエア送風とを実行させる乾燥工程と、をセットにしたセット動作を繰り返し実行させる。そして、こうした手順を踏むことにより、本実施形態では、より短時間で、より効果的な洗浄効果を得ることができる。以下、この洗浄処理の具体的な流れについて図４〜図６を参照して説明する。
【００３６】
図４、図５は、洗浄処理の流れを示すフローチャートである。また、図６は、洗浄処理の様子を示すイメージ図である。通常、分注処理が一回終わるごとに、洗浄処理が実行される。洗浄処理では、まず、移動機構１６によりノズル１２が乾燥用噴射器５０の真上位置に移動させられる（Ｓ１０）。その後、ノズル１２を乾燥用噴射器５０の中心軸に沿って上側基準高さまで下降させる（Ｓ１２）。ここで、上側基準高さとは、後述する洗浄動作が開始でき得る高さであり、具体的には、ノズル１２の先端が乾燥用噴射器５０の上端近傍に位置する高さである。
【００３７】
ノズル１２が上側基準高さに到達すれば、分注ポンプを駆動し、分注処理後もノズル１２内に残っている分注対象液体を洗浄槽２２に吐出させる（Ｓ１４）。この吐出された分注対象液体（廃液）は、洗浄槽２２の下部に設けられた廃液孔２２ｂを介して、廃液タンク２６に排出される。
【００３８】
ところで、従来多用されていた浸漬式、すなわち、ノズル１２を薬液に浸して洗浄する方式の場合、洗浄槽２２には予め洗浄液が貯留されているため、洗浄槽２２内に廃液を吐出することはできない。そのため、浸漬式の従来技術においては、まず、ノズル１２を廃液タンク２６側へ移動させて、残液の吐出を行った後に、改めて、当該ノズル１２を洗浄槽２２に移動させて洗浄処理を開始していた。換言すれば、浸漬式の従来技術においては、廃液タンク２６へのノズル１２移動動作が必須であった。一方、本実施形態では、洗浄液をノズル１２に吹き付けるようにしているため、洗浄槽２２内に、残液を吐出したとしても、洗浄液の汚染といった問題は生じない。その結果、廃液タンク２６へのノズル１２移動動作は不要となり、結果として、洗浄処理全体に要する時間を短縮することができる。
【００３９】
残液の吐出が完了すれば、続いて、第一回すすぎ動作を実行する（Ｓ１６）。このすすぎ動作は、ノズル１２の内外側面に付着している分注対象液体を除去し、この後に実行する洗浄動作（Ｓ１８）の洗浄効果を高めるために行われる。
【００４０】
すすぎ動作は、ノズル１２の内外をすすぎ液で洗う洗浄工程と、ノズルの内外にエアを噴射して乾燥させる乾燥工程と、をセットで行う。より具体的には、まず、図６（ａ）に示すように、移動機構１６によりノズル１２を乾燥用噴射器５０の中心軸線上に沿って徐々に下降させ、洗浄槽２２の内部に、徐々に進入させる。そして、下側基準高さまで到達すれば、ノズル１２の下降を停止する。ここで、下側基準高さとは、ノズル１２の洗浄対象部分の上端付近にすすぎ液が噴射でき得る高さであり、後述のエア噴射動作を開始し得る高さである。
【００４１】
また、このノズル１２の下降と並行して、ノズル１２の外側面へのすすぎ液の噴射も実行する。すなわち、電磁弁４６やシリンジポンプ４２を駆動して、すすぎ液タンク４０ａに貯留されているすすぎ液を洗浄液噴射器４４に供給する。洗浄液噴射器４４は、供給されたすすぎ液を霧化したうえで、斜め下方向に噴射する。この噴射の際、ノズル１２は、上側基準高さから下側基準高さまで下降している。この下降により、ノズル１２の外側面のうち、すすぎ液が吹き付けられる位置が、ノズル１２先端から上方に徐々に移動していく。そして、最終的には、長尺なノズル１２の外側面に満遍なくすすぎ液を吹き付けることができる。そして、その結果、長尺なノズル１２の外側面に残存、付着していた分注対象液が効果的に除去される。
【００４２】
さらに、本実施形態では、このノズル１２の下降およびすすぎ液噴射と並行して、ノズル１２の内部へのすすぎ液の送液も行う。すなわち、電磁弁３３やシリンジポンプ３２を駆動して、すすぎ液タンク３０ａに貯留されているすすぎ液をノズル１２に供給する。ノズル１２内部に供給されたすすぎ液は、当該ノズル１２内部に残存、付着していた分注対象液とともに流れ落ちて、ノズル１２の外部に排出される。
【００４３】
このように、本実施形態では、ノズル１２の内外を同時にすすいでおり、すすぎに要する時間を短縮することができる。また、本実施形態では、ノズル１２のすすぎに寄与したすすぎ液は、そのまま廃液として排出される。したがって、浸漬式のように、すすぎ液が過度に汚染されてしまうキャリーオーバなどの心配が生じない。
【００４４】
ノズル１２が下側基準高さまで到達すれば、ノズル１２の下降、ノズル１２外側面へのすすぎ液の噴射、ノズル１２内部へのすすぎ液の送液を中止する。その後、今度は、図６（ｂ）に示すように、移動機構１６を駆動して、ノズル１２を乾燥用噴射器５０の中心軸に沿って徐々に上昇させる。また、このノズル１２上昇と並行して、ノズル１２外側面にエアを噴射する。すなわち、電磁弁５１やエアポンプ６４を駆動して、乾燥用噴射器５０から略円筒状の気流を生じさせる。この略円筒状気流を吹き付けた状態でノズル１２を徐々に上昇させることにより、長尺なノズル１２の外側面に満遍なくエアを吹き付けることができる。このようにエアを万遍なく吹き付けることにより、長尺なノズル１２の外側面に残存、付着していたすすぎ液が効果的に除去され、ノズル１２が効果的に乾燥される。
【００４５】
また、ノズル１２外側面へのエア噴射と並行して、ノズル１２内部へのエア送風も行われる。すなわち、送風ポンプ３６や電磁弁３４を駆動して、ノズル１２の上端から下向きに流れるエアを送風する。このエアの送風により、ノズル１２の内側面に付着していたすすぎ液が下方に吹き飛ばされ、除去され、ノズル１２が効果的に乾燥される。
【００４６】
このように、すすぎ液ですすいだ後に、当該すすぎ液を除去する乾燥工程を行うことにより、この後に行う洗浄動作の洗浄効果をより向上することができる。すなわち、すすぎ液を除去しないまま、洗剤液を用いる洗浄動作を実行した場合、ノズル１２の内外側面に残存したすすぎ液により、洗剤液のノズル１２内外側面への付着が妨害されたり、洗剤液が薄まったりするおそれがある。これらは、洗浄効果の低減を招く。もちろん、こうした問題を避けるために、洗剤液の使用量や洗浄時間を増加することも考えられるが、これは、時間や洗剤液の無駄になる。一方、本実施形態のように、すすぎ工程の後に乾燥工程を実行（換言すれば、洗剤液での洗浄工程の前に乾燥工程を実行）することにより、洗剤液をノズル１２の内外側面に効果的に付着、拡散させることができ、洗浄効果を向上することができる。
【００４７】
ノズル１２が上側基準高さまで到達すれば、ノズル１２の上昇、ノズル１２外側面へのエア噴射、ノズル１２内部へのエア送風を中止する。その後、今度は、洗浄動作を実行する（Ｓ１８）。この洗浄動作は、すすぎ液に替えて洗剤液を用いる点を除けば、第一回すすぎ動作と同じ手順で行われる。すなわち、まず、ノズル１２を下降させつつ、ノズル１２の外側面への洗剤液の噴射、および、ノズル１２内部への洗剤液の送液を行う。次いで、ノズル１２を上昇させつつ、ノズル１２の外側面へのエアの噴射、および、ノズル１２の内部へのエアの送風を行う。ここで、洗剤液を用いた洗浄工程の後にも乾燥工程を設けることにより、次に行う第二回すすぎ動作の効率を向上させることができる。すなわち、第二回すすぎ動作で除去すべき洗剤液を予め、洗浄動作におけるエア噴射・送風により大幅に除去しておくことにより、少量のすすぎ液でも十分なすすぎ効果を得ることができる。
【００４８】
洗浄動作が終了すれば、続いて、第二回すすぎ動作が実行される（Ｓ２０）。第二回すすぎ動作は、第一回すすぎ動作と同じ手順で行われる。第二回すすぎ動作が終了すれば、続いて、消毒液を用いた消毒動作を実行する（Ｓ２２）。消毒動作は、すすぎ液に替えて消毒液を用いる点を除けば、第一回すすぎ動作と同じ手順で行われる。この消毒動作の後には、第三回すすぎ動作が、第一回すすぎ動作と同じ手順で実行される（Ｓ２４）。その後、ノズル１２が洗浄槽２２から完全に離脱する離脱高さまで、ノズル１２を上昇させれば、洗浄処理は終了となる。洗浄処理終了後は、必要に応じて、次の分注処理を行う。
【００４９】
以上の説明から明らかなように、本実施形態では、洗浄動作や消毒動作、すすぎ動作のたびに、ノズル１２を乾燥させている。その結果、より少量の洗浄液（洗剤液や消毒液、すすぎ液）でより高い洗浄効果が得られる。また、本実施形態では、ノズル１２を乾燥させるために略円筒状気流を用いている。そのため、ノズル１２の周囲に均等にエアを吹き付けることが可能となり、より効果的にノズル１２を乾燥させることができる。
【００５０】
なお、上述した手順は一例であり、ノズル１２に洗浄液を噴射する洗浄工程とノズル１２に付着した洗浄液を吹き飛ばす乾燥工程とを含むのであれば、その他の手順は適宜、変更されてもよい。例えば、本実施形態では、洗浄動作に先立って第一回すすぎ動作を行っているが、この第一回すすぎ動作は省略されてもよい。また、本実施形態では、ノズル１２を、上側基準高さから下側基準高さまで下降させている間だけ、洗浄液を噴射しているが、強固な汚れがある場合は、上側基準高さから下側基準高さまでの間をＮ＋０．５往復（Ｎは整数）させるようにしてもよい。なお、いずれの場合であっても、洗浄工程と乾燥工程とをセットにしたセット動作を二回以上繰り返すことが望ましい。さらに、本実施形態では、ノズル１２を昇降させているが、当然ながら、ノズル１２を静止させて、洗浄槽２２を昇降させるようにしてもよい。
【符号の説明】
【００５１】
１０  分注装置、１２  ノズル、１４  ノズルヘッド、１６  移動機構、２０  ノズル洗浄ユニット、２２  洗浄槽、２６  廃液タンク、３０ａ，３０ｂ，３０ｃ，４０ａ，４０ｂ，４０ｃ  洗浄液タンク、３２，４２  シリンジポンプ、３３，３４，４６，５１  電磁弁、３６  送風ポンプ、３８  スピードコントローラ、４４  洗浄液噴射器、５０  乾燥用噴射器、５２  排気用噴射器、５３  環状本体、５４  横溝、６０  横孔、６４  エアポンプ。
【図１】
0005449967.tif 000002
【図２】
0005449967.tif 000003
【図３】
0005449967.tif 000004
【図４】
0005449967.tif 000005
【図５】
0005449967.tif 000006
【図６】
0005449967.tif 000007